(57)【要約】      （修正有）【課題】  酸化作用とアルカリの作用を併せ持ち、かつ十分な安定性と安全性を備えた洗浄用液体組成物を提供すること。【解決手段】  尿素と過酸化水素とキレート剤とを含有し、アルカリ性であることを特徴とする洗浄用液体組成物である。好ましくは、過酸化水素１モルに対し尿素含有量が０．１〜１モルであり、過酸化水素が全量に対して３〜１５重量％であり、キレート剤が全量に対して０．１〜２重量％である。【選択図】なし【特許請求の範囲】
【請求項１】
尿素と過酸化水素とキレート剤とを含有し、アルカリ性であることを特徴とする洗浄用液体組成物。
【請求項２】
過酸化水素１モルに対し尿素含有量が０．１〜２モルであることを特徴とする請求項１記載の洗浄用液体組成物。
【請求項３】
過酸化水素が全量に対して２〜１５重量％であることを特徴とする請求項１又は２記載の洗浄用液体組成物。
【請求項４】
キレート剤が全量に対して０．１〜２重量％であることを特徴とする請求項１〜３のいずれか記載の洗浄用液体組成物。
【請求項５】
加熱して使用することを特徴とする請求項１〜４のいずれか記載の洗浄用液体組成物。
【請求項６】
風呂釜用であることを特徴とする請求項１〜５のいずれか記載の洗浄用液体組成物。
【請求項７】
少なくとも風呂水出入穴が水没する水位まで風呂水を浴槽内に張った状態で、風呂釜に連通し浴槽の壁面に開口された風呂水出入穴の浴槽内部側の周囲を一定の容積に区画するように浴槽の壁面に当接された風呂釜洗浄用具に投入して使用することを特徴とする請求項６記載の洗浄用液体組成物。
【請求項８】
風呂釜に連通し浴槽の壁面に開口された風呂水出入穴の浴槽内部側の周囲を一定の容積に区画しうる本体部と本体の一部に設けられた洗浄剤投入口とを有する風呂釜洗浄用具と、請求項６記載の洗浄用液体組成物とを備えた風呂釜洗浄セット。
【発明の詳細な説明】
【技術分野】
【０００１】
本発明は、洗浄用液体組成物及びそれを用いた洗浄方法に関する。
【背景技術】
【０００２】
従来、浴室、トイレ、外壁等の汚れが付きやすく除去しにくいところや、カビが発生しやすいところの汚れやカビの除去剤としては、次亜塩素酸ナトリウムを用いることが主流であった。しかし、汚れやカビの除去に次亜塩素酸ナトリウムを用いた場合には、極めて有毒な塩素ガスの発生があり、特に、浴室等の狭い空間では塩素中毒となる危険があった。
【０００３】
一方、酸素系のガスを発生する漂白剤としては、過炭酸ナトリウムが主流であるが、粉剤であるために使い勝手に難点があった。
【０００４】
また、過酸化水素を有効成分とする液剤は、漂白作用、酸化作用、殺菌作用を有しており、過酸化水素を用いた漂白剤、洗浄剤は多く知られている。例えば特許文献１には、過酸化水素及び界面活性剤等を含む液体漂白洗浄剤組成物が開示されている。しかし、過酸化水素はアルカリ性では不安定であり、過酸化水素を安定させるには、特許文献１の実施例の表１及び表２に示されているように、液体漂白洗浄剤組成物を酸性（例えばｐＨ２〜３）にする必要があった。
【０００５】
また、特許文献２には、（ａ）過酸化水素：１〜６重量％、（ｂ）常温で液体の漂白活性化剤：２〜２０重量％、（ｃ）水溶性溶剤：１〜５０重量％、（ｄ）水：残部を含有してなり、且つｐＨが８〜１１．５の範囲にある硬表面用漂白剤組成物が開示されている。この硬表面用漂白剤組成物は、ｐＨがアルカリであり、かつ過酸化水素が含まれているため、過酸化水素の酸化作用・殺菌作用とアルカリの分解作用とが共にある程度発揮され得ると考えられる。しかし、この硬表面用漂白剤組成物は水溶性溶剤を用いることによって、ｐＨ８〜１１．５における過酸化水素の安定化を図ろうと試みてはいるものの、（ｂ）成分により酸化力が強化されているため、実用化に耐えうる安定性は有していないと考えられる。
【０００６】
また、過酸化尿素は、ＣＯ（ＮＨ２）２・Ｈ２Ｏ２で表される過酸化水素・尿素の付加体である。過酸化尿素の水溶液はほぼ中性であり、過酸化尿素が１モル分解されると尿素１モルと過酸化水素１モルとなる。例えば特許文献３には、ケイ酸マグネシウムナトリウム：１〜２０重量％、過酸化尿素：１０〜２５重量％、多価アルコール：４０〜８８重量％、該多価アルコールに膨潤可能な増粘剤：１〜１５重量％から成ることを特徴とする歯牙用漂白剤が開示されている。
【０００７】
しかし、酸化作用とアルカリの作用を併せ持ち、かつ十分な安定性と安全性を備えた洗浄用液体組成物は知られていなかった。
【０００８】
【特許文献１】特開平０７−１２６６９４号公報
【特許文献２】特開平０３−２２０２９８号公報
【特許文献３】特開２００５−６０２６７号公報
【発明の開示】
【発明が解決しようとする課題】
【０００９】
本発明の課題は、酸化作用とアルカリの作用を併せ持ち、かつ十分な安定性と安全性を備えた洗浄用液体組成物を提供することにある。
【課題を解決するための手段】
【００１０】
本発明者らは、上記課題を解決するために鋭意検討し、尿素とキレート剤とを用いることによって、過酸化水素水を含みアルカリ性である洗浄用液体組成物の安定性を向上させることができることを見い出し、本発明を完成するに至った。
【００１１】
すなわち本発明は、（１）尿素と過酸化水素とキレート剤とを含有し、アルカリ性であることを特徴とする洗浄用液体組成物、（２）過酸化水素１モルに対し尿素含有量が０．１〜２モルであることを特徴とする前記（１）記載の洗浄用液体組成物、（３）過酸化水素が全量に対して２〜１５重量％であることを特徴とする前記（１）又は（２）記載の洗浄用液体組成物、（４）キレート剤が全量に対して０．１〜２重量％であることを特徴とする前記（１）〜（３）のいずれか記載の洗浄用液体組成物、（５）加熱して使用することを特徴とする前記（１）〜（４）のいずれか記載の洗浄用液体組成物、（６）風呂釜用であることを特徴とする前記（１）〜（５）のいずれか記載の洗浄用液体組成物に関する。
【００１２】
また本発明は、（７）少なくとも風呂水出入穴が水没する水位まで風呂水を浴槽内に張った状態で、風呂釜に連通し浴槽の壁面に開口された風呂水出入穴の浴槽内部側の周囲を一定の容積に区画するように浴槽の壁面に当接された風呂釜洗浄用具に投入して使用することを特徴とする前記（６）記載の洗浄用液体組成物に関する。
【００１３】
さらに本発明は、（８）風呂釜に連通し浴槽の壁面に開口された風呂水出入穴の浴槽内部側の周囲を一定の容積に区画しうる本体部と本体の一部に設けられた洗浄剤投入口とを有する風呂釜洗浄用具と、前記（６）記載の洗浄用液体組成物とを備えた風呂釜洗浄セットに関する。
【発明の効果】
【００１４】
本発明の洗浄用液体組成物は、酸化作用とアルカリの作用を併せ持ち、かつ十分な安定性と安全性を備えている。
【発明を実施するための最良の形態】
【００１５】
本発明の洗浄用液体組成物は、尿素と過酸化水素とキレート剤とを含有し、アルカリ性であることを特徴とする洗浄用液体組成物である。
【００１６】
本発明の洗浄用液体組成物における過酸化水素の含有量は、特に制限されないが、洗浄用液体組成物全量に対して２〜１５重量％、好ましくは３〜１０重量％、とすることができる。過酸化水素は、酸化作用及び殺菌作用を有している。
【００１７】
本発明の洗浄用液体組成物における尿素の含有量は、本発明の効果が得られる限り特に制限されないが、本発明の洗浄用液体組成物の安定性の観点から、洗浄用液体組成物中の過酸化水素１モルに対し、０．１〜２モル、好ましくは０．５〜１．２モルとすることができる。
【００１８】
本発明におけるキレート剤は、本発明の効果を妨げない限り特に制限はないが、例えば、グリセリン酸、テトロン酸、ペントン酸、ヘキソン酸、ヘプトン酸等のアルドン酸類のアルカリ金属塩もしくは低級アミン塩、ニトリロ三酢酸、エチレンジアミン四酢酸、ヒドロキシルイミノ二酢酸、ジヒドロキシエチルグリシン、エチレンジアミン二酢酸、ジエチレントリアミン五酢酸、トリエチレンテトラミン六酢酸、テトラエチレンテトラミン六酢酸等のアミノカルボン酸類のアルカリ金属塩もしくは低級アミン塩、酒石酸、クエン酸、リンゴ酸、グルタミン酸等のオキシカルボン酸類のアルカリ金属塩もしくは低級アミン塩、アミノトリメチレンホスホン酸、ヒドロキシエチリデンジホスホン酸、エチレンジアミンテトラメチレンホスホン酸、ジエチレントリアミンペンタメチレンホスホン酸等のホスホン酸類のアルカリ金属塩もしくは低級アミン塩や、エタノールアミン、ジエタノールアミン、トリエタノールアミン等のアルカノールアミン塩、好ましくは、グルコン酸、グルコヘプトン酸、エチレンジアミン四酢酸、酒石酸、クエン酸、ヒドロキシエチリデンジホスホン酸のアルカリ金属塩もしくは低級アミン塩、特に好ましくは、エチレンジアミン四酢酸ナトリウム、酒石酸ナトリウムが挙げられる。
【００１９】
キレート剤は、本発明の洗浄用液体組成物中の微量金属を封鎖して、過酸化水素等の安定化に寄与し、また、洗浄性能の向上にも寄与する。本発明の洗浄用液体組成物におけるキレート剤の含有量は、特に制限されないが、洗浄用液体組成物全量に対して０．１〜２重量％、好ましくは０．３〜１重量％とすることができる。
【００２０】
本発明の洗浄用液体組成物は、アルカリ性である。アルカリ性であることにより、本発明の洗浄用液体組成物は、有機物等の汚れに対して優れた分解作用を発揮する。また、本発明の洗浄用液体組成物は、洗浄用液体組成物としての安定性と洗浄効果のバランスの観点から、ｐＨ８以上が好ましく、ｐＨ９以上がより好ましく、ｐＨ９〜１０が最も好ましい。
【００２１】
本発明の洗浄用液体組成物をアルカリ性に調整するアルカリ剤としては、水溶性のアルカリ剤であればいずれのものも使用できる。具体例としては、水酸化ナトリウム、水酸化カリウム等のアルカリ金属の水酸化物、オルソ珪酸ナトリウム、メタ珪酸ナトリウム、セスキ珪酸ナトリウム、一号珪酸ナトリウム、二号珪酸ナトリウム、三号珪酸ナトリウム等の珪酸塩、リン酸二水素ナトリウム、リン酸水素二ナトリウム、リン酸三ナトリウム、ピロリン酸ナトリウム、トリポリリン酸ナトリウム、ヘキサメタリン酸ナトリウム等のリン酸塩、炭酸二ナトリウム、炭酸水素ナトリウム、炭酸二カリウム、炭酸水素カリウム等の炭酸塩、ホウ酸ナトリウム等のホウ酸塩等が挙げられる。２種以上のアルカリ剤を組み合わせて用いても良い。これらのアルカリ剤のうち好ましくは水酸化ナトリウム、水酸化カリウム、オルソ珪酸ナトリウム、メタ珪酸ナトリウムであり、より好ましくは水酸化ナトリウム、水酸化カリウムである。
【００２２】
本発明の洗浄用液体組成物は、尿素と過酸化水素とキレート剤の他に、本発明の効果を妨げない限り、任意成分を含んでいてもよい。そのような任意成分として、例えば界面活性剤、安定剤、染料、香料、等が挙げられる。
【００２３】
界面活性剤 としては、脂肪酸石鹸、アルキル硫酸塩、アルキルベンゼンスルホン酸塩、ポリオキシエチレンアルキル硫酸エステル塩、スルホコハク酸ジエステル塩、アルキルジフェニルエステルジスルホン酸塩、アルカンスルホン酸塩、アルキルリン酸エステル塩、α−オレフィン硫酸エステル塩、α−オレフィンスルホン酸塩等のアニオン系界面活性剤；ポリオキシエチレンアルキルエーテル、ソルビタン脂肪酸エステル、ポリオキシエチレンソルビタン脂肪酸エステル、ポリオキシエチレン脂肪酸エステル、脂肪酸モノグリセリド、アルキルグリコシド、アミンオキシド等のノニオン系界面活性剤；モノアルキルトリメチルアンモニウム塩、ジアルキルジメチルアンモニウム塩、トリアルキルメチルアンモニウム塩、テトラアルキルアンモニウム塩、アルキルジメチルベンザルコニウム塩等のカチオン系界面活性剤；アルキルジメチルカルボベタイン、アルキルアミドプロピルカルボベタイン、アルキルスルホベタイン、アルキルヒドロキシスルホベタイン、アルキルアミドプロピルスルホベタイン、アルキルアミドプロピルヒドロキシスルホベタイン等の両性界面活性剤から選ばれる１種以上を挙げることができる。
【００２４】
本発明の洗浄用液体組成物は、上述のように任意成分を含んでいてもよいが、尿素とキレート剤以外に、本組成物の安定化に寄与する安定剤を含んでいないのが好ましい。
【００２５】
本発明の洗浄用液体組成物の製造法は、本発明の洗浄用液体組成物が得られる限り特に制限はない。例えば、過酸化水素、又は水に溶解して過酸化水素を発生する過酸化物と、尿素と、キレート剤とを水に加えて混合した後、アルカリ剤を加えてｐＨをアルカリ性に調整することによって、本発明の洗浄用液体組成物を製造することができる。水に溶解して過酸化水素を発生する過酸化物としては、特に制限はないが、過炭酸ナトリウム、過硼酸ナトリウム、酒石酸ナトリウム過酸化水素付加物、トリポリリン酸ナトリウム過酸化水素付加物、ピロリン酸ナトリウム過酸化水素付加物、尿素過酸化水素付加物、過酸化ナトリウム、過酸化カルシウム等の水溶液中で過酸化水素を生成するものが挙げられ、過酸化水素、過炭酸ナトリウム、過硼酸ナトリウムが、使用する際の安全性の観点から好ましい。
【００２６】
本発明の洗浄用液体組成物は、そのまま、又は適当な任意成分を加えること等によって液体洗浄剤とすることができる。
【００２７】
本発明の洗浄用液体組成物の用途は特に制限はされないが、例えば、風呂釜用の洗浄剤、洗濯機用の洗浄剤、風呂壁のカビ除去剤、外壁の苔除去剤、等の洗浄剤などに用いることができる。
【００２８】
本発明の洗浄用液体組成物の使用方法については特に制限はないが、例えば、洗浄する対象物の汚れ部分に本発明の洗浄用液体組成物が接するような状態とした後又は同時に、ブラシや水流等で汚れ部分に物理的な力を加えた後又は加えるのと同時に、本発明の洗浄用液体組成物を洗い流すことにより使用することができる。
【００２９】
本発明の洗浄用液体組成物を洗濯機用の洗浄剤として用いる場合、使用方法について特に制限はないが、例えば、以下のように使用することができる。まず、洗濯機に水を張り、本発明の洗浄用液体組成物を適量加えた後、洗濯機をしばらく作動させて洗濯機内の溶液を攪拌する。しばらく放置した後、洗濯機を作動させて、洗濯機内の溶液を十分に攪拌して洗濯機内の汚れを洗浄する。洗濯機内の溶液を一度排水した後、新たな水等を用いて洗濯機内に残った本発明の洗浄用液体組成物を洗い流す。
【００３０】
本発明の洗浄用液体組成物を風呂釜用の洗浄剤として用いる場合、使用方法について特に制限はなく、例えば、浴槽に張った水に本発明の洗浄用液体組成物を加えた後、風呂釜を作動させてもよいし、浴槽に水を張った状態でジャバラなどの器具を用いて、風呂釜に連通する管内に本発明の洗浄用液体組成物を送り込んでもよい。また、少なくとも風呂水出入穴が水没する水位まで風呂水を浴槽内に張った状態で、風呂釜に連通し浴槽の壁面に開口された風呂水出入穴の浴槽内部側の周囲を一定の容積に区画するように浴槽の壁面に当接された風呂釜洗浄用具に、本発明の洗浄用液体組成物を投入した後、風呂釜を作動させて用いてもよい。そのような風呂釜洗浄用具として、例えば、図１のような風呂釜洗浄用具を用いることにより、少量の洗浄用液体組成物で簡便かつ効率良く風呂釜を洗浄することができる。
【００３１】
ここで、図１を参照して、１は本発明における風呂釜洗浄用具（以下、単に洗浄用具という）である。この洗浄用具１は、浴槽ＢＴ（バスタブ）の壁面に取り付けられる。ただし、浴槽ＢＴにはこの実施の形態では、外部の図示しない風呂釜に連通し浴槽の壁面に開口された風呂水出入穴部Ｃが設けられており、洗浄用具１を浴槽ＢＴの壁面に取り付ける際にはこの風呂水出入穴部Ｃの浴槽内部側の周囲を一定の容積に区画するように取り付ける。
【００３２】
なお、洗浄用具１を取り付ける際には浴槽ＢＴ内には湯水が張られており、その水面Ｗは風呂水出入穴部Ｃの上方に位置する状態、すなわち吸吐部が完全に水没する状態になっている。そして、その様態で洗浄用具１を浴槽ＢＴの壁面に取り付けると、洗浄用具１内に湯水が入り込み、洗浄用具１の内外の水面Ｗの高さは互いに同じ高さになる。
【００３３】
洗浄用具１の上面は開口しており（洗浄剤投入口）、その開口部分から洗浄用具１内に本発明の洗浄用液体組成物を投入することができる。なお、洗浄剤投入口は、洗浄剤を投入できる限り、その位置、形状、個数等に制限はない。
【００３４】
洗浄用具内に本発明の洗浄用液体組成物を投入した後、その状態で風呂釜を作動させると図示しないポンプが作動して、洗浄用具１内の洗浄用液体組成物の溶解液を風呂水出入穴部Ｃから風呂釜へと吸引する（図２参照）。風呂釜まで洗浄用液体組成物の溶解液が到達すると、その溶解液が加熱されることにより洗浄用液体組成物が活性化し、発生する酸素ガスが風呂釜内部に付着した水あか等の汚れを剥離させ、またアルカリの作用が汚れを溶解する。
【００３５】
そして風呂釜を通過した溶解液は風呂水出入穴部Ｃから洗浄用具１内に吐出される。このように吐出された溶解液は高濃度の洗浄用液体組成物を含んでおり、洗浄用具１によって浴槽ＢＴ内と隔絶され、ふたたび風呂水出入穴部Ｃから風呂釜へと吸引される。
【００３６】
ところで、このような風呂水出入穴部Ｃを備えたいわゆる１穴式の風呂釜では、吸引する湯水の温度をセンサーで監視しており、その温度が設定温度に到達するとポンプおよび風呂釜の作動を自動的に停止させるように構成されている。したがって、洗浄用具１内の容量が小さく、短時間で洗浄用具１内の湯温が上昇すると、十分に風呂釜が洗浄される前にポンプや風呂釜が停止し、洗浄作業を継続できなくなる。
【００３７】
このような不具合を解消するためには、洗浄用具１の容量をある程度大きくしなければならない。しかし必要以上に容量を大きくすると、洗浄用液体組成物の濃度が低下するため多量の洗浄用液体組成物を投入する必要が生じる。そこで、本実施の形態では、一般の家庭用の風呂釜の加熱能力に鑑み、０．５リットルから２０リットルの湯水が洗浄用具１内に貯留されるようにした。なお、この容量は好ましくは１リットルから１０リットル、さらに好ましくは１．５リットルから５リットルに設定する。
【００３８】
ところで、洗浄用具１の本体部は、図３に示すように枠状の基体部２と、この基体部２に対して着脱自在に取り付けられる隔壁部３とから構成されている。基体部２は可撓性を有する樹脂で一体に成形されており、浴槽ＢＴの平面に取り付けるための吸盤２１が４個所に形成されている。また、基体部２の左右側辺および底辺には、外方に若干湾曲したスカート部に相当するシール部２２が同じく基体部２に一体に形成されている。このシール部２２の機能は後述するが、このシール部２２が流出構造を構成する。
【００３９】
基体部２の左右および底部には内側に保持部２３が形成されており、かつ、この保持部２３の外側には、図４に示すように保持溝２４が形成されている。そして、この保持溝２４に隔壁部３が差し込まれることによって、隔壁部３が基体部２に取り付けられるように構成されている。
【００４０】
なお、保持部２３の外周面側には係合突起２５が形成されており、隔壁部３を保持溝２４に差し込むと、隔壁部３に形成した係合窓３１にこの係合突起２５が係合して、隔壁部３が基体部２から不用意に脱落しないようにした。保持部２３は上述のように可撓性を有する樹脂で成形されているので、基体部２から隔壁部３を取り外すことは容易に行える。
【００４１】
一方、隔壁部３は図５に示すように、基体部２から取り外した状態では折り畳むことができ、洗浄作業終了後に隔壁部３を基体部２から取り外し、図５に示すように折り畳めば収納スペースを小さくすることができる。なお、本実施の形態では、左右側面３２を内側にたたみ、底面３３を山形に折り曲げることにより隔壁部３を折り畳むようにした。
【００４２】
ところで、上述のシール部２２は、図６に示すように、基体部２を浴槽ＢＴの壁面に取り付けると、先端を外側にして撓むことになる。そのため自らの弾性力によって浴槽ＢＴの壁面に当接することになる。そのような状態になると、浴槽ＢＴの内部の湯水が洗浄用具１の内部に流出しようとしてもシール部２２に阻まれて流入することができない。また、浴槽ＢＴ内の水面Ｗの高さと洗浄用具１内の水位とは同じ高さになるので、洗浄用具１の内部から浴槽ＢＴに向かう流れが生じず、そのため洗浄用具１内の洗浄用液体組成物が浴槽Ｂへ漏出することがシール部２２によって防止される。
【００４３】
なお、本実施の形態では基体部２を浴槽ＢＴの壁面に取り付けるために吸盤２１を用いた。吸盤２１は内部を真空にすることによって外部からの圧力で吸着するものである。したがって、本実施に形態のように吸盤２１を水中で使用すると水圧が吸着力として作用し、空気中で使用する場合に比べて強力な吸着力を発揮させることができる。そのため、洗浄作業中に洗浄用具１を手などで保持しなくても、浴槽ＢＴの壁面に強力に固定される。
【００４４】
さて、上述のように所定時間継続してポンプおよび風呂釜を作動させて十分に風呂釜の洗浄が終了すると、ポンプおよび風呂釜を作動させたままの状態で、洗浄用具１内に上方の開口部分から清浄な水を注入する。すると、洗浄用具１内の水位が周囲の水面Ｗよりも上昇する。そのため、洗浄用具１内の圧力が周りの圧力よりも高くなり、洗浄用具１内の湯水が、上記シール部２２と浴槽ＢＴの壁面との間を通って浴槽ＢＴ側へと漏出する。
【００４５】
洗浄用具１内に清浄な水を注入すれば、洗浄用具１内の湯温が低下するので、風呂釜はそのまま作動し続ける。そして、洗浄用具１内の湯水が清浄な水に置換されるので、風呂釜には清浄な湯水が循環されすすがれることにより、洗浄用液体組成物が風呂釜内に残らない。これで風呂釜の洗浄工程が終了し、その後浴槽の排水口の栓を外して浴槽ＢＴ内の湯水を排水し、最後に洗浄用具１を浴槽ＢＴの壁面から取り外す。
【００４６】
ところで、上記実施の形態では、吸水口と吐出口とが一体になった１穴式の物で説明したが、本発明を２穴式の物に適用しても何ら問題はない。ただし、２穴式の物では、風呂釜に湯水をポンプで強制的に循環させるのではなく、自然対流によって循環させている。また、吸引される湯水の温度を検知しておらず、そのため洗浄用具１内の上部に高温の湯水が滞留し、風呂釜に十分な量の湯水を循環させることができなくなるおそれがある。
【００４７】
そこで図７に示すように、隔壁部３の一部に置換手段として機能する置換窓３４を設けた。この置換窓３４は水面Ｗを上下に跨ぐように形成しており、吸水口ＯＬから吸引され吐出口ＩＬから吐出された高温の湯水の一部が、この置換窓３４を通って浴槽ＢＴ側へ流出する。すると、その高温水の流出に伴って、浴槽ＢＴ内の低温の湯水が置換窓３４を通って洗浄用具１内に流入し、洗浄用具１内の湯温を低下させ、洗浄用具１内の温度格差を小さくする。そして、上述の場合と同じく、洗浄完了後に上方から清浄な水を注入して風呂釜内の洗浄用液体組成物を排出させる。
【００４８】
ところで、上記の実施の形態では、基体部２を浴槽ＢＴの壁面に取り付けるために、４個の円形の吸盤２１を用いたが、さらに吸着力を高めると共に、基部２の浴槽ＢＴからの浮き上がりを防止するため、図８に示すように、円形ではなく長尺吸盤２６を基部２に一体に形成してもよい。この長尺吸盤２６は長手方向が基体部２の枠に沿うように形成されており、本実施の形態では、合計３個の長尺吸盤２６を形成した。なお、基体部２についても上方に開放されたコ字状に形成してもよい。
【００４９】
このように構成することにより、基体部２の全体が浴槽ＢＴに吸着するので、浴槽ＢＴからの基体部２の浮き上がりが防止される。なお、各長尺吸盤２６の相互間にはシール部２２を形成した。このシール部２２は長尺吸盤２６に連続して形成されているので、浴槽ＢＴに吸着した状態で基体部２を浴槽ＢＴから外す際に、シール部２２を持ち上げれば、長尺吸盤２６を浴槽ＢＴから容易に外すことができる。
【００５０】
また、図５を用いて隔壁部３の折り畳みの形態を説明したが、図９に示すように、基体部２に隔壁部３を取り付けたままの状態で隔壁部３を折り畳みようにしてもよい。図９に示した形態では、底面３３を内側にたたみ、左右側面３２を同じく内側に山形に折り込むことによって、隔壁部３の体積を小型化するようにした。
【００５１】
なお、本発明は上記した形態に限定されるものではなく、本発明の要旨を逸脱しない範囲内において種々の変更を加えてもかまわない。例えば、上記実施に形態では本体部である基体部２と隔壁部３とを別個に形成したが、本体部を一体に形成してもよい。
【００５２】
本発明の風呂釜洗浄セットは、風呂釜に連通し浴槽の壁面に開口された風呂水出入穴の浴槽内部側の周囲を一定の容積に区画しうる本体部と本体の一部に設けられた洗浄剤投入口とを有する風呂釜洗浄用具と、請求項６記載の洗浄用液体組成物とを備えた風呂釜洗浄セットである。風呂釜洗浄用具、洗浄用液体組成物については上述した通りである。
【００５３】
本発明の洗浄用液体組成物は、それを加熱して使用しなくてもよいが、加熱して使用することが好ましく、３０℃以上に加熱して使用することがより好ましく、４０℃以上に加熱して使用することが特に好ましい。本発明の洗浄用液体組成物を加熱すると、分解速度が速まり、発生する酸素の気泡の量が増加し、汚れに対して剥離効果を示すと共に、酸化作用も向上するからである。
【００５４】
以下、実施例により本発明をより具体的に説明するが、本発明の技術的範囲はこれらの例示に限定されるものではない。
【実施例】
【００５５】
（実施例１）洗浄用液体組成物の調製
３５％過酸化水素水１４．３ｇ、尿素８．８ｇ、４９％ＫＯＨ０．８ｇ、エチレンジアミン四酢酸二ナトリウム１．０ｇ及び蒸留水７５．１ｇを混合溶解して洗浄用液体組成物を調製した。このときの過酸化水素と尿素のモル比は１：１であり、ｐＨは９であった。
【００５６】
（実施例２）洗浄用液体組成物の調製
３５％過酸化水素水１４．３ｇ、尿素８．８ｇ、４９％ＫＯＨ１．９ｇ、エチレンジアミン四酢酸二ナトリウム１．０ｇ及び蒸留水７４．０ｇを混合溶解して洗浄用液体組成物を調製した。このときの過酸化水素と尿素のモル比は１：１であり、ｐＨは１０．５であった。
【００５７】
（実施例３）洗浄用液体組成物の調製
３５％過酸化水素水１４．３ｇ、尿素８．８ｇ、４９％ＫＯＨ８．３ｇ、エチレンジアミン四酢酸二ナトリウム１．０ｇ及び蒸留水６７．６ｇを混合溶解して洗浄用液体組成物を調製した。このときの過酸化水素と尿素のモル比は１：１であり、ｐＨは１２であった。
【００５８】
（実施例４）洗浄用液体組成物の調製
３５％過酸化水素水１４．３ｇ、尿素８．８ｇ、４９％ＫＯＨ０．８ｇ、エチレンジアミン四酢酸二ナトリウム１．０ｇ、蒸留水７５．１ｇ及び界面活性剤（商品名：アルスコープＬＮ９０（非イオン界面活性剤、主成分：ラウリル硫酸ナトリウム）、東邦化学工業（株）製）０．５ｇを混合溶解して洗浄用液体組成物を調製した。このときの過酸化水素と尿素のモル比は１：１であり、ｐＨは９であった。
【００５９】
（比較例１）洗浄用液体組成物の調製
３５％過酸化水素水１４．３ｇ、４９％ＫＯＨ０．７ｇ及び蒸留水８５．０ｇを混合溶解して洗浄用液体組成物を調製した。ｐＨは９であった。
【００６０】
（比較例２）洗浄用液体組成物の調製
３５％過酸化水素水１４．３ｇ、尿素８．８ｇ、４９％ＫＯＨ０．７ｇ及び蒸留水７６．２ｇを混合溶解して洗浄用液体組成物を調製した。ｐＨは９であった。
【００６１】
（比較例３）洗浄用液体組成物の調製
３５％過酸化水素水１４．３ｇ、４９％ＫＯＨ０．７ｇ、エチレンジアミン四酢酸二ナトリウム１．０ｇ及び蒸留水８４．０ｇを混合溶解して洗浄用液体組成物を調製した。ｐＨは９であった。
【００６２】
（比較例４）洗浄用液体組成物の調製
３５％過酸化水素水１４．３ｇ、尿素８．８ｇ、４９％ＫＯＨ０．４ｇ、エチレンジアミン四酢酸二ナトリウム１．０ｇ及び蒸留水７５．５ｇを混合溶解して洗浄用液体組成物を調製した。ｐＨは７であった。
【００６３】
（保存安定性試験）
実施例１〜４及び比較例１〜４で調製した洗浄用液体組成物を２２５ｍｌマヨネーズ瓶に入れ、ポリエチレン製の２２５ｍｌマヨネーズ瓶の内蓋をして、４０℃恒温槽で保存した。４０℃で７日間保存した後の内蓋の外れ、酸素ガス発生による発泡等を観察し、５段階評価を表１に示す。評価方法は、内蓋の外れがなく、酸素ガス発生による発泡等がないものを◎、内蓋の外れがなく、酸素ガス発生による発泡がわずかにあるものを○、内蓋の外れがなく、酸素ガス発生による発泡が比較的多いものを●、内蓋が外れ、酸素ガス発生による発泡等があるものを△、内蓋が外れ、酸素ガス発生による激しい発泡等があるものを×とした。
【００６４】
（洗浄効果試験）
(1)テスト用スライドグラス準備：酵母エキス５．０ｇ、ポリペプトン１０．０ｇ及びブドウ糖２．０ｇを蒸留水１リットルに溶解し、ｐＨを７．０に調整した。この液体培地をオートクレーブ中で１２１℃×１５分間滅菌処理した。この滅菌処理した液２００ｍｌに、家庭の風呂釜から採取した風呂釜付着物をホモジナイザー（１５０００回転×５分）で粉砕したものを２．０ｇ分散し、３００ｍｌ容量の三角フラスコに全量採取後共栓をして、３５℃で７日間培養シェーカーで培養した。この培養液をスライドグラスに塗り、その後２時間室温で乾燥した。この培養液を塗り、室温で乾燥する操作を更に３回繰り返した。
(2)洗浄効果の評価方法；１４０ｍｌマヨネーズ瓶に実施例１〜４及び比較例１〜４で調製した洗浄用液体組成物１０ｇと、蒸留水を９０ｇ採取し、良く混合後内蓋をして、４０℃恒温水槽に１時間浸漬した。この中に、上記で作成したテスト用スライドグラスを６０分間浸漬した。次に、このテスト用スライドグラスを取り出し、蒸留水１２０ｇを入れた１４０ｍｌマヨネーズ瓶に５分間浸漬することにより水洗した。この水洗したスライドグラスを空の１４０ｍｌマヨネーズ瓶に入れて、３０分間室温で乾燥した。評価方法としては、スライドグラスに塗った風呂釜付着物の培養物がどのくらい溶解・剥離しているかを観察して、完全に溶解・剥離しているものを◎、かなり溶解しているものを○、比較的溶解しているものを●、一部溶解しているものを△、蒸留水に浸漬したものと同様で全く溶解・剥離していないものを×として評価した。その結果を表１に示す。
【００６５】
【表１】
2006348181.tif 000002
【００６６】
表１の結果から分かるように、尿素又はエチレンジアミン四酢酸二ナトリウム（キレート剤）のいずれか、又はその両方を欠いている比較例１〜３は、安定性が不十分であった。一方、尿素とエチレンジアミン四酢酸二ナトリウム（キレート剤）を両方含む実施例１〜４及び比較例４は、良好な安定性を示した。
【００６７】
また、表１の結果から分かるように、実施例１〜４は比較的良好な洗浄効果を示したのに対し、比較例１〜４は十分な洗浄効果を示さなかった。実施例１、比較例１〜４の結果からは、尿素とエチレンジアミン四酢酸二ナトリウム（キレート剤）が両方含まれていると、そのどちらかが含まれている場合又はどちらも含まれていない場合より、洗浄効果が向上することが分かる。また、尿素とエチレンジアミン四酢酸二ナトリウム（キレート剤）が両方含まれていても、ｐＨが中性の場合（比較例４）の場合は、極めて低い洗浄効果しか得られなかった。尿素とエチレンジアミン四酢酸二ナトリウム（キレート剤）が両方含まれている場合は、ｐＨが高くなるにしたがって、洗浄効果が上昇した（実施例１〜３）。また、同じｐＨでも、界面活性剤が含まれていると、洗浄効果が上昇することが示された（実施例１及び４）。
【００６８】
表１の結果から、過酸化水素と尿素とキレート剤を含有し、かつアルカリ性であると、安定性及び洗浄効果が共に優れていることが分かった。
【図面の簡単な説明】
【００６９】
【図１】本発明の一実施の形態の構成を示す図
【図２】洗浄工程を示す図
【図３】風呂釜洗浄用具の構造を示す図
【図４】基体部への隔壁部の取付状態を示す図
【図５】隔壁部の折り畳み状態を示す図
【図６】シール部の作用を示す図
【図７】第２の実施の形態を示す図
【図８】第３の実施の形態を示す図
【図９】第３の実施の形態における隔壁部の折り畳み状態を示す図
【符号の説明】
【００７０】
１    風呂釜洗浄用具（本体部及び洗浄剤投入口）
２    基体部
３    隔壁部
２１  吸盤
２２  シール部
２６  長尺吸盤
ＢＴ  浴槽
Ｗ    水面
【図１】
2006348181.tif 000003
【図２】
2006348181.tif 000004
【図３】
2006348181.tif 000005
【図４】
2006348181.tif 000006
【図５】
2006348181.tif 000007
【図６】
2006348181.tif 000008
【図７】
2006348181.tif 000009
【図８】
2006348181.tif 000010
【図９】
2006348181.tif 000011